【手続補正書】
【提出日】平成26年1月21日(2014.1.21)
【手続補正１】
【補正対象書類名】特許請求の範囲
【補正対象項目名】全文
【補正方法】変更
【補正の内容】
【特許請求の範囲】
【請求項１】
動画データを取得する取得手段と、
前記取得手段により取得された動画データを動画ファイルとして記録媒体に記録する記録手段と、
記録指示に応じて、１回の記録時間として設定された所定時間分の前記動画データを、前記記録媒体に既に記録されている、前記所定時間分の動画データを含む動画ファイルに対して追加して記録し、記録中にエラーが発生した場合に記録を停止するように前記記録手段を制御する制御手段とを備え、
前記制御手段は、前記所定時間分の動画データの記録の途中で記録を停止した場合、前記途中で記録を停止した動画データを含む動画ファイルを記録した後の次の記録指示により記録される前記所定時間分の動画データを、前記途中で記録を停止した動画データを含む動画ファイルに対して追加しないように前記記録手段を制御することを特徴とする動画記録装置。
【請求項２】
前記制御手段は、前記既に記録されている動画ファイルに対して前記途中で記録を停止した動画データを追加して記録し、前記次の記録指示により記録される前記所定時間分の動画データを新たな動画ファイルとして記録するように、前記記録手段を制御することを特徴とする請求項１に記載の動画記録装置。
【請求項３】
前記制御手段は、前記途中で記録を停止した動画データを、前記既に記録されている動画ファイルに対して追加せずに、前記既に記録されている動画ファイルとは別の動画ファイルとして記録し、前記次の記録指示により記録される前記所定時間分の動画データを新たな動画ファイルとして記録するように、前記記録手段を制御することを特徴とする請求項１に記載の動画記録装置。
【請求項４】
動画データを取得する取得手段と、
前記取得手段により取得された動画データを動画ファイルとして記録媒体に記録する記録手段と、
記録指示に応じて、１回の記録時間として設定された所定時間分の前記動画データを、前記記録媒体に既に記録されている、前記所定時間分の動画データを含む動画ファイルに対して追加して記録し、記録中にエラーが発生した場合に記録を停止するように前記記録手段を制御する制御手段とを備え、
前記制御手段は、前記所定時間分の動画データの記録の途中で記録を停止した場合、前記既に記録されている動画ファイルに対し、前記途中で記録を停止した動画データを追加しないように前記記録手段を制御することを特徴とする動画記録装置。
【請求項５】
前記制御手段は、前記途中で記録を停止した動画データを、前記既に記録されている動画ファイルとは別の動画ファイルとして記録するように、前記記録手段を制御することを特徴とする請求項４に記載の動画記録装置。
【請求項６】
前記制御手段は、前記途中で記録を停止した動画データを前記記録媒体から削除することを特徴とする請求項４に記載の動画記録装置。
【請求項７】
前記記録媒体から動画ファイルを再生する再生手段を備え、
前記制御手段は、前記再生手段による、途中で記録が停止されていない前記所定時間分の動画データが追加された前記動画ファイルの再生中の再生位置のスキップ指示に応じて、前記所定時間分、再生位置をスキップするように前記再生手段を制御することを特徴とする請求項１から６の何れか１項に記載の動画記録装置。
【請求項８】
動画データを動画ファイルとして記録媒体に記録する記録手段を備える動画記録装置の制御方法であって、
記録指示に応じて、１回の記録時間として設定された所定時間分の前記動画データを、前記記録媒体に既に記録されている、前記所定時間分の動画データを含む動画ファイルに対して追加して記録し、記録中にエラーが発生した場合に記録を停止するように前記記録手段を制御し、
前記所定時間分の動画データの記録の途中で記録を停止した場合、前記途中で記録を停止した動画データを含む動画ファイルを記録した後の次の記録指示により記録される前記所定時間分の動画データを、前記途中で記録を停止した動画データを含む動画ファイルに対して追加しないように前記記録手段を制御することを特徴とする制御方法。
【請求項９】
動画データを動画ファイルとして記録媒体に記録する記録手段を備える動画記録装置の制御方法であって、
記録指示に応じて、１回の記録時間として設定された所定時間分の前記動画データを、前記記録媒体に既に記録されている、前記所定時間分の動画データを含む動画ファイルに対して追加して記録し、記録中にエラーが発生した場合に記録を停止するように前記記録手段を制御し、
前記所定時間分の動画データの記録の途中で記録を停止した場合、前記既に記録されている動画ファイルに対し、前記途中で記録を停止した動画データを追加しないように前記記録手段を制御することを特徴とする制御方法。
【請求項１０】
動画データを取得する取得手段と、
前記取得手段により取得された動画データを動画ファイルとして記録媒体に記録する記録手段と、
前記動画データの１回の記録時間を設定する設定手段と、
記録指示に応じて、前記設定手段により設定された記録時間分の前記動画データを、前記記録媒体に既に記録されている追加対象の動画ファイルに対して追加して記録するように前記記録手段を制御する制御手段とを備え、
前記制御手段は、前記追加対象の動画ファイルに含まれる動画データの１回の記録時間が、前記設定手段により設定された記録時間と異なる場合、前記追加対象の動画ファイルに対して、前記記録指示に応じて記録される動画データを追加しないように、前記記録手段を制御することを特徴とする動画記録装置。
【請求項１１】
動画データを取得する取得手段と、
前記取得手段により取得された動画データを動画ファイルとして記録媒体に記録する記録手段と、
前記動画データの１回の記録時間を設定する設定手段と、
記録指示に応じて、前記設定手段により設定された記録時間分の前記動画データを、前記記録媒体に既に記録されている追加対象の動画ファイルに対して追加して記録するように前記記録手段を制御する制御手段とを備え、
前記制御手段は、前記追加対象の動画ファイルに対して前記記録指示に応じて記録される動画データを追加した後の動画ファイルの再生時間が所定の再生時間を超える場合、前記追加対象の動画ファイルに対して、前記記録指示に応じて記録される動画データを追加しないように、前記記録手段を制御することを特徴とする動画記録装置。
【請求項１２】
動画データを取得する取得手段と、
前記取得手段により取得された動画データを動画ファイルとして記録媒体に記録する記録手段と、
前記動画データの１回の記録時間を設定する設定手段と、
記録指示に応じて、前記設定手段により設定された記録時間分の前記動画データを、前記記録媒体に既に記録されている追加対象の動画ファイルに対して追加して記録するように前記記録手段を制御する制御手段とを備え、
前記制御手段は、前記追加対象の動画ファイルに対して前記新たな動画の記録指示に応じて記録される動画データを追加した後の動画ファイルのファイルサイズが所定のサイズを超える場合、前記追加対象の動画ファイルに対して、前記記録指示に応じて記録される動画データを追加しないように、前記記録手段を制御することを特徴とする動画記録装置。
【請求項１３】
前記記録媒体から動画ファイルを再生する再生手段を備え、
前記制御手段は、前記再生手段による前記動画ファイルの再生中の再生位置のスキップ指示に応じて、前記１回の記録時間分、再生位置をスキップするように前記再生手段を制御することを特徴とする請求項１０から１２の何れか１項に記載の動画記録装置。
【請求項１４】
前記制御手段は、前記設定手段により設定された１回の記録時間に関する情報を、前記動画ファイルに付加して記録するように前記記録手段を制御することを特徴とする請求項１０から１２の何れか１項に記載の動画記録装置。
【請求項１５】
動画データを動画ファイルとして記録媒体に記録する記録手段を備える動画記録装置の制御方法であって、
記録指示に応じて、前記動画データの１回の記録時間として設定された記録時間分の前記動画データを、前記記録媒体に既に記録されている追加対象の動画ファイルに対して追加して記録するように前記記録手段を制御し、
前記追加対象の動画ファイルに含まれる動画データの１回の記録時間が、前記設定された記録時間と異なる場合、前記追加対象の動画ファイルに対して、前記記録指示に応じて記録される動画データを追加しないように、前記記録手段を制御することを特徴とする制御方法。
【請求項１６】
動画データを動画ファイルとして記録媒体に記録する記録手段を備える動画記録装置の制御方法であって、
記録指示に応じて、前記動画データの１回の記録時間として設定された記録時間分の前記動画データを、前記記録媒体に既に記録されている追加対象の動画ファイルに対して追加して記録するように前記記録手段を制御し、
前記追加対象の動画ファイルに対して前記記録指示に応じて記録される動画データを追加した後の動画ファイルの再生時間が所定の再生時間を超える場合、前記追加対象の動画ファイルに対して、前記記録指示に応じて記録される動画データを追加しないように、前記記録手段を制御することを特徴とする制御方法。
【請求項１７】
動画データを動画ファイルとして記録媒体に記録する記録手段を備える動画記録装置の制御方法であって、
記録指示に応じて、前記動画データの１回の記録時間として設定された記録時間分の前記動画データを、前記記録媒体に既に記録されている追加対象の動画ファイルに対して追加して記録するように前記記録手段を制御し、
前記追加対象の動画ファイルに対して前記記録指示に応じて記録される動画データを追加した後の動画ファイルのファイルサイズが所定のサイズを超える場合、前記追加対象の動画ファイルに対して、前記記録指示に応じて記録される動画データを追加しないように、前記記録手段を制御することを特徴とする制御方法。
【手続補正２】
【補正対象書類名】明細書
【補正対象項目名】０００６
【補正方法】変更
【補正の内容】
【０００６】
このような目的を達成するために、本発明の動画記録装置は、動画データを取得する取得手段と、前記取得手段により取得された動画データを動画ファイルとして記録媒体に記録する記録手段と、記録指示に応じて、１回の記録時間として設定された所定時間分の前記動画データを、前記記録媒体に既に記録されている、前記所定時間分の動画データを含む動画ファイルに対して追加して記録し、記録中にエラーが発生した場合に記録を停止するように前記記録手段を制御する制御手段とを備え、前記制御手段は、前記所定時間分の動画データの記録の途中で記録を停止した場合、前記途中で記録を停止した動画データを含む動画ファイルを記録した後の次の記録指示により記録される前記所定時間分の動画データを、前記途中で記録を停止した動画データを含む動画ファイルに対して追加しないように前記記録手段を制御することを特徴とする。